(57)【要約】【課題】車両の燃料配管保護構造では、車両の前面衝突時等に、後部座席下方のリアフロアパネルが下方に変形する場合においても、燃料タンクの必要容量を確保しつつ、燃料配管の周辺部品との干渉を抑制する。【解決手段】車両の燃料配管保護構造は、車両の後部座席Ｓの下方に配設されたフロア部材３と、該フロア部材３の下方に配設された燃料タンク９と、前記フロア部材３と前記燃料タンク９との間隙に配設された燃料配管１１０と、該燃料配管１１０を所定の車体部材５に支持するための燃料配管支持部材２００と、を有し、前記燃料配管支持部材２００は、該燃料配管支持部材２００の上端が、前記燃料配管１１０の上端よりも上方となるように前記車体部材５に支持される。【選択図】図１
2019188998.tif 000002
【特許請求の範囲】
【請求項１】
車両の後部座席の下方に配設されたフロア部材と、
該フロア部材の下方に配設された燃料タンクと、
前記フロア部材と前記燃料タンクとの間隙に配設された燃料配管と、
該燃料配管を所定の車体部材に支持するための燃料配管支持部材と、を有する車両の燃料配管保護構造であって、
前記燃料配管支持部材は、該燃料配管支持部材の上端が、前記燃料配管の上端よりも上方となるように前記車体部材に支持されることを特徴とする車両の燃料配管保護構造。
【請求項２】
前記燃料配管支持部材は、前記燃料配管よりも上下方向の寸法が大きく形成されていることを特徴とする請求項１に記載の車両の燃料配管保護構造。
【請求項３】
前記燃料配管は、複数の管部材を接続して構成され、
該複数の管部材が接続された部位は、前記フロア部材と前記燃料タンクとの間、かつ、前記燃料配管支持部材の側方に配置されていることを特徴とする請求項１または請求項２に記載の車両の燃料配管保護構造。
【請求項４】
前記所定の車体部材は、前記燃料タンク前方に設けられたクロスメンバであり、
前記燃料配管支持部材は、前記クロスメンバへの取付部と、該取付部から前記燃料配管に沿って車体前後方向に延びる先当て部とが設けられ、
該先当て部は、前記取付部よりも上下方向の剛性が高められていることを特徴とする請求項１から請求項３のいずれか１項に記載の車両の燃料配管保護構造。
【発明の詳細な説明】
【技術分野】
【０００１】
本発明は、燃料タンクを有する車両の燃料配管保護構造に関する。
【背景技術】
【０００２】
自動車等の車両は、駆動源としてのエンジンと、該エンジンに供給する燃料を貯蔵する燃料タンクとを備え、この燃料タンクは、車両の衝突等の衝撃によって燃料が漏洩することを回避するために、例えば、衝突等による影響を受けにくい後部座席の下方にリアフロアパネルを介して配設されているものが知られている。
【０００３】
燃料タンクには、燃料ポンプが内蔵されているとともに、燃料タンクの上面には、燃料ポンプに接続されてエンジンに燃料を供給する燃料配管としてのフィードパイプや、エンジンからの余分な燃料を導入するリターンパイプ等が接続されている。
【０００４】
また、これらの燃料配管は、車両の衝突時等の衝撃に伴って他の部品と接触することにより損傷し、燃料が漏洩することをより確実に回避するために、外部から保護部材等によって保護される場合がある。
【０００５】
なお、燃料配管の保護部材には、特許文献１に開示されているように、車両の前面衝突時等のエンジンの車体後方への移動に伴って、エンジン後方に配置される燃料配管が、該燃料配管後方のエアクリーナに衝突することによる燃料配管の損傷およびこれによる燃料の漏洩を回避するために、燃料配管のエアクリーナ側を覆うブラケットが設けられているものがある。
【先行技術文献】
【特許文献】
【０００６】
【特許文献１】特開２０１８−３６１１号公報
【発明の概要】
【発明が解決しようとする課題】
【０００７】
ところで、前述のように、例えば、燃料タンクが後部座席の下方に配置されている場合、リアフロアパネルには、車体前後方向において後部座席の前端部と対応する位置に、段部が設けられているので、燃料タンクは、この段部の縦壁部から後方に延びる領域に配置されることになる。
【０００８】
また、リアサスペンションの形式によっては、左右の後輪を繋ぐトーションビーム式のように車体幅方向に延びて配置されるサスペンションがあり、車体後方側の燃料タンクの領域が制限され、燃料タンクの必要容量が確保できない場合がある。この場合は、燃料タンクを上方に拡張せざるをえず、その結果、燃料タンクは、後部座席下方のリアフロアパネルの下面に近接する。
【０００９】
しかしながら、例えば、後席乗員が３点式シートベルトによって後席に拘束された状態で、車両の前面衝突が発生した時、慣性力によって乗員が前方に押し出されることに伴い、乗員の下半身が前方に移動してシートクッションとシートベルトとの間からすり抜ける所謂サブマリン現象が生じることがある。
【００１０】
このサブマリン現象が発生した場合、乗員の下半身が前方に移動することに伴い、乗員のヒップポイントは、通常姿勢状態に比べて前方かつ下方に変位する。そして、車両の前面衝突時において後席乗員の下方移動にともなって、後席下方のリアフロアパネルは、下方に変形させられるので、燃料タンクの上面に配置された燃料配管が、リアフロアパネルと、燃料タンクとにより挟まれてしまう虞がある。
【００１１】
そこで本発明の車両の燃料配管保護構造では、車両の前面衝突時等に、後部座席下方のリアフロアパネルが下方に変形する場合においても、燃料タンクの必要容量を確保しつつ、燃料配管の周辺部品との干渉を抑制することを課題とする。
【課題を解決するための手段】
【００１２】
前記課題を解決するため、本願発明は次のように構成したことを特徴とする。
【００１３】
まず、本願の請求項１に記載の発明は、
車両の後部座席の下方に配設されたフロア部材と、
該フロア部材の下方に配設された燃料タンクと、
前記フロア部材と前記燃料タンクとの間隙に配設された燃料配管と、
該燃料配管を所定の車体部材に支持するための燃料配管支持部材と、を有する車両の燃料配管保護構造であって、
前記燃料配管支持部材は、該燃料配管支持部材の上端が、前記燃料配管の上端よりも上方となるように前記車体部材に支持されることを特徴とする。
【００１４】
また、請求項２に記載の発明は、前記請求項１に記載の発明において、
前記燃料配管支持部材は、前記燃料配管よりも上下方向の寸法が大きく形成されていることを特徴とする。
【００１５】
また、請求項３に記載の発明は、前記請求項１または請求項２に記載の発明において、
前記燃料配管は、複数の管部材を接続して構成され、
該複数の管部材が接続された部位は、前記フロア部材と前記燃料タンクとの間、かつ、前記燃料配管支持部材の側方に配置されていることを特徴とする。
【００１６】
また、請求項４に記載の発明は、前記請求項１から請求項３のいずれか１項に記載の発明において、
前記所定の車体部材は、前記燃料タンク前方に設けられたクロスメンバであり、
前記燃料配管支持部材は、前記クロスメンバへの取付部と、該取付部から前記燃料配管に沿って車体前後方向に延びる先当て部とが設けられ、
該先当て部は、前記取付部よりも上下方向の剛性が高められていることを特徴とする。
【発明の効果】
【００１７】
請求項１に記載の発明によれば、車両の後部座席の下方のフロア部材と、該フロア部材の下方に配設された燃料タンクとの間の間隙に配設された燃料配管は、燃料配管支持部材によって所定の車体部材に固定され、この燃料配管支持部材の上端が、燃料配管の上端よりも上方なるように配置されている。
【００１８】
これにより、例えば、前面衝突時等における後席乗員の下方移動に伴ってフロア部材が下方に変形した場合、フロア部材は、燃料配管支持部材の上端に当接するので、燃料配管が直接フロア部材と当接することが抑制される。その結果、燃料配管がフロア部材と燃料タンクとに挟まることが防止される。
【００１９】
例えば、燃料タンクの容量確保のために、燃料タンクを上方に拡張する場合、燃料タンクとフロア部材が上下方向に近接するが、燃料配管支持部材によって燃料配管を保護することができる。
【００２０】
また、請求項２に記載の発明によれば、燃料配管支持部材は、燃料配管よりも上下方向の寸法が大きく形成されている。したがって、例えば、前面衝突時等における後席乗員の下方移動に伴ってフロア部材が下方に変形した場合でも、燃料配管支持部材によって設けられた、フロア部材と燃料タンクとの間に空間に、燃料配管が両者に挟み込まれることなく配置されることができる。換言すると、燃料配管が、直接フロア部材および燃料タンクと当接することが防止される。
【００２１】
また、請求項３に記載の発明によれば、燃料配管は、複数の管部材を接続して構成され、複数の管部材が接続された部位は、フロア部材と燃料タンクとの間、かつ、燃料配管支持部材の側方に配置されているので、例えば、フロア部材が下方に変形した場合でも、複数の管部材が接続された部位が、燃料配管支持部材によって設けられたフロア部材と燃料タンクとの間において両者に挟まれることが抑制される。請求項２に記載の効果と同様に、燃料配管の管部材が接続された部位が、直接フロア部材および燃料タンクと当接することが防止される。
【００２２】
また、請求項４に記載の発明によれば、燃料配管支持部材は、燃料タンク前方に設けられたクロスメンバに、取付部を介して取り付けられているとともに、該取付部から燃料配管に沿って車体前後方向に延びる先当て部とが設けられ、該先当て部は、取付部よりも上下方向の剛性が高められている。これにより、フロア部材と燃料タンクとの間に配置された燃料配管は、フロア部材の下方移動時において、上下方向の剛性が高められた先当て部によって、フロア部材を確実に受け止めることができるので、より効果的に燃料配管を保護することができる。
【図面の簡単な説明】
【００２３】
【図１】本発明の実施形態に係る車両の燃料配管保護構造を有する車体後部構造を模式的に示す側面図である。
【図２】本発明の実施形態に係る車両の燃料配管保護構造を有する車体後部構造を模式的に示す平面図である。
【図３】図１における要部拡大図である。
【図４】図２における要部拡大図である。
【図５】本発明の実施形態における燃料配管支持部材の単体図である。
【図６】本発明の実施形態における燃料配管支持部材とフィードパイプの関係を示す説明図である。
【発明を実施するための形態】
【００２４】
以下、本発明の実施形態に係る車両の燃料配管保護構造の図面を用いて詳細を説明する。
【００２５】
まず、図１および図２は、車両の後席下方の断面及び平面を示す図であって、本実施形態における車両の車室を形成するフロアパネル１は、図示しない前席が配置されるフロントフロアパネル２と、該フロントフロアパネル２から後方へ延びると共に後部座席（以下、「後席」ともいう）Ｓが配置されるリアフロアパネル３とを有している。
【００２６】
フロントフロアパネル２と、リアフロアパネル３とは、車体幅方向両側において、車体前後方向に延びる骨格部材である左右一対のサイドフレーム４、４の間に車体幅方向に亘って架け渡されている。
【００２７】
フロアパネル１には、車体前方側から順に、前側水平部１１、キックアップ部１２、前側傾斜部１３、後側傾斜部１４、後側水平部１５が形成されている。
【００２８】
フロアパネル１の前側水平部１１は、フロントフロアパネル２の基本面部２１で形成され、前側傾斜部１３、後側傾斜部１４および後側水平部１５は、リアフロアパネル３で形成されている。
【００２９】
キックアップ部１２は、フロントフロアパネル２の基本面部２１の後端部から立ち上がる縦壁部２２と、該縦壁部２２の上端から車体後方へ延びる水平面部２３とによって、段上がり状に形成されて、前側傾斜部１３に連続している。
【００３０】
キックアップ部１２は、車体幅方向に延びる前側クロスメンバ５により補強されている。前側クロスメンバ５は、フロントフロアパネル２の後端部と、リアフロアパネル３の前端部によって閉断面が形成されるとともに、その車体幅方向両端部がサイドフレーム４、４に接合されている。
【００３１】
具体的には、リアフロアパネル３の前部は、フロアパネル１の前側傾斜部１３を形成する基本面部３１と、該基本面部３１の前端から下方に延びる前壁部３２と、該前壁部３２から前方に延びる延設部３３と、該延設部の前端部から下方に延びる接合部３４とを備えている。
【００３２】
フロントフロアパネル２の水平面部２３が、リアフロアパネル３の基本面部３１の前端部に接合され、リアフロアパネル３の接合部３４が、フロントフロアパネル２の縦壁部２２の車体後方側の面に接合されて、車体幅方向に延びる閉断面が形成され、前側クロスメンバ５を構成している。
【００３３】
フロアパネル１の後側傾斜部１４と後側水平部１５とに跨がって、後側クロスメンバ６が設けられている。具体的には、後側クロスメンバ６は、リアフロアパネル３の上側および下側の面に、それぞれ車体幅方向に延びる断面ハット状のアッパクロス６１およびロアクロス６２が接合されて、リアフロアパネルと協働して閉断面を形成するとともに、車体幅方向両端部がサイドフレーム４、４に接合されている。
【００３４】
ところで、本実施形態におけるサスペンション７は、車体前後方向に延びる左右一対のトレーリングアーム７１と、車体幅方向に延びて左右のトレーリングアーム７１間を連結するトーションビーム７２とを備えた所謂トーションビーム式のサスペンションである。
【００３５】
各トレーリングアーム７１の車体前方側の端部の軸部７３が、揺動可能にサイドフレーム４に取り付けられている。トーションビーム７２は、例えば、車体下方側に向かって開放した断面逆Ｕ字状の鋼材で構成されている。トーションビーム７２の両端部は、トレーリングアーム７１の長さ方向の中央と前端部との間の部分に連結されている。
【００３６】
サスペンション７は、図示しない車輪を支持するナックル７４、車輪と車体との間に介在されて衝撃を吸収するコイルスプリング７５、７５、および、車輪と車体の間で伸縮可能に設けられてコイルスプリング７５、７５の振動を吸収するダンパ７６、７６を、それぞれ車輪ごとに備えている。
【００３７】
上述のトーションビーム７２は、後側クロスメンバ６の下方で、車体前後方向において、この後側クロスメンバ６に対応する位置に配置されている。
【００３８】
後席Ｓの下方には、リアフロアパネル３を介して燃料タンク９が配置されている。
【００３９】
燃料タンク９は、リアフロアパネル３の下方位置で、かつ、平面視にて前側および後側クロスメンバ５、６と左右一対のサイドフレーム４、４とによって囲まれた空間内に配設されている。
【００４０】
燃料タンク９は、例えば合成樹脂により上下２分割形成され、上面部９１と下面部９２との接合フランジ９３を重ね合せ接合することにより側面視にて略扁平状に形成されている。
【００４１】
燃料タンク９の配置されるスペースは、限られた領域であり、燃料タンク９の容量を確保するために、燃料タンク９の上面部９１は、上下方向においてリアフロアパネル３の近傍かつリアフロアパネル４の下面の形状に沿って配置されている。さらに、上面部９１の前部９１ａは、上下方向において前側クロスメンバ５とオーバラップするような高さ位置に位置している。
【００４２】
上面部９１は、リアフロアパネル３の前側傾斜部１３同様に、該前側傾斜部１３の下方対応位置に置いて、車体前側から車体後側に向けて低くなる傾斜部９１ｂを有している。
このようにして、燃料タンク９は、前述の燃料タンク９の配設される限られた領域において、上下方向に広がって設けられることで、燃料タンク９の必要容量が確保されている。
【００４３】
下面部９２は、前端部が前側クロスメンバ５の下方まで膨出しており、平面視において前側クロスメンバ５とオーバラップさせて設けられている。
燃料タンク９の後端部は、後側クロスメンバ６およびサスペンション７のトーションビーム７２に近接する位置まで広がっている。
【００４４】
燃料タンク９は、例えば金属製の２本のタンク固定バンド９４、９４によって、リアフロアパネル３の下面に吊り下げ支持されている。２本のタンク固定バンド９４、９４は、前方側の端部が前側クロスメンバ５の底面にボルト９５、９５により締結固定され、後方側の端部が後側クロスメンバ６の底面にボルト９６、９６により固定されている。
【００４５】
燃料タンク９の後端部には、給油管９７の基端部が接続され、燃料タンク９の上面には、エア抜き管９８の基端部が接続されている。給油管９７の先端近傍部にエア抜き管９８の先端部が接続され、給油管９７の先端部は給油口９９へ接続されている。
【００４６】
本実施形態においては、燃料タンク９内の車体左側かつ前部に、燃料ポンプユニット１００が収容されている。燃料ポンプユニット１００は、電動式のポンプ本体（図示せず）を内蔵し、燃料タンク９の上面の傾斜部９１ｂに固定される蓋部１０１を有している。
【００４７】
なお、蓋部１０１は、燃料タンク９の上面部９１同様に、リアフロアパネル３の形状に沿って、車体前後方向において後下がりに傾斜して設けられている。
【００４８】
図３に示すように、燃料タンク９の上面側において、燃料ポンプユニット１００の上端部の蓋部１０１には、燃料を供給するフィードパイプ１１０が接続される接続口部材１０２、燃料を戻すリターンパイプ１２０が接続される接続口部材１０３、ハーネス１０６が接続されるコネクタ１０５が設けられている。
【００４９】
接続口部材１０２は、燃料ポンプユニット１００に接続され、この燃料ポンプユニット１００、接続口部材１０２、およびフィードパイプ１１０により、燃料タンク９内の燃料がエンジンに供給される。
【００５０】
接続口部材１０３は、燃料タンク９内に接続され、リターンパイプ１２０および接続口部材１０３によって、エンジンからの燃料を燃料タンク９に戻すことができる。
【００５１】
コネクタ１０５には、コントロールユニットから延びるハーネス１０６が接続され、このコネクタ１０５とハーネス１０６により燃料ポンプユニット１００へ駆動信号が送られる。
【００５２】
接続口部材１０２、１０３は、蓋部１０１から上方に突出して設けられ、接続口部材１０２、１０３の基端部が蓋部１０１の上面から立ち上がって車体前方側かつ蓋部１０１の上面と平行に延びている（図２参照）。
【００５３】
フィードパイプ１１０は、蓋部１０１の中央部から前側クロスメンバ５の後面近傍まで延び、その後、前側クロスメンバ５に沿って車体幅方向外側へ案内される。そして、燃料タンク９の車体外側に配置されているキャニスタＣを介して車体前方側のエンジン側へ延設されている。なお、フィードパイプ１１０は、金属製の中空状の管部材と、ゴム製の中空状の管部材とがつなぎ合わさることで、形成されている。
【００５４】
具体的には、燃料タンク９のフィードパイプ１１０の接続口部材１０２には、継手１０２ａを介して金属製の第１管部材１１１が接続され、該第１管部材１１１は、蓋部１０１の斜面に平行に車体前方に向かって高くなるように傾斜している。
【００５５】
第１管部材１１１は、車体前側の端部において車体幅方向内側に変更されて、ゴム製の第２管部材１１２が接続されている。第２管部材１１２は、反第１管部材１１１側の端部に金属製の第３管部材１１３が接続される。
【００５６】
第３管部材１１３は、第１管部材１１１の車体前方側の端部よりも高い位置に配置されている。そして、第２管部材１１２と第３管部材１１３との接続部Ｘは、フィードパイプ１１０の最も高い部位を形成している。
【００５７】
第３管部材１１３は、平面視においてＬ字状の形状を有し、このＬ字形状は、第３管部材１１３の車体前後方向に延びる前後方向延設部１１３ａと、車体幅方向に延びる幅方向延設部１１３ｂとによって形成されている。なお、第３管部材１１３によって、車体前後方向に配管されていたフィードパイプ１１０が、前側クロスメンバ５に沿って車体幅方向外側へ配管される。
【００５８】
第３管部材１１３の幅方向延設部１１３ｂの車体幅方向外側の端部は、ゴム製の第４管部材１１４が接続され、第４管部材１１４の車体幅方向外側の端部には、その端部がキャニスタに接続される金属製の第５管部材１１５が接続されている。
【００５９】
燃料タンク９の上方で、リアフロア３の下方には、フィードパイプ１１０およびハーネス１０６を車体に保持するための燃料配管支持部材２００が設けられている。
【００６０】
図５に示すように、燃料配管支持部材２００は、車体幅方向に延びるベース部２０１と、該ベース部２０１から車体前方側に突出する２つの取付部２０２、２０３と、ベース部２０１から車体後方側に延びる先当て部２０４と、該先当て部２０４の後端部から燃料ポンプユニット１００に向かって延びる延設部２０５とを有している。
【００６１】
２つの取付部２０２、２０３は、車体幅方向に並べて配置されており、車体内側と外側とで形状が異なって形成されている。具体的には、車体内側の取付部２０２は、略円筒状に形成され、車体外側の取付部２０３は、車体正面視で断面十字状に形成されている。
【００６２】
先当て部２０４には、高剛性部２０４ａ…２０４ａが設けられており、これにより、先当て部２０４の上下方向の剛性が高められている。また、先当て部２０４と、ベース部２０１との間には、先当て部２０４の車体前後方向中間部と、ベース部２０１の車体後方側の面とを連結するリブ部２１１、２１２が設けられており、これにより先当て部２０４の基端部における剛性が高められている。
【００６３】
図３に示すように、これらの取付部２０２、２０３が、前側クロスメンバ５の車体後方側の面に設けられた孔部５１、５１に圧入されることで燃料配管支持部材２００が固定される。なお、車体内側および外側の取付部２０２、２０３の形状を異ならせることで、前側クロスメンバ５の孔部５１、５１の位置のばらつきが吸収できるようになっている。
【００６４】
燃料配管支持部材２００は、上述の燃料配管等を所定の位置に保持する複数のクリップ部２０６、２０７、２０８が設けられている。具体的には、ベース部２０１の車体後方側の面の車体幅方向外側の部位に設けられた上側クリップ部２０６および下側クリップ部２０７と、先当て部２０４の車体前後方向の中間部に設けられた後側クリップ部２０８が備えられている。
【００６５】
後側クリップ部２０８には、第３管部材１１３の前後方向延設部１１３ａが保持され、上側クリップ部２０６には、第３管部材１１３の幅方向延設部１１３ｂが保持されている。また、下側クリップ２０７には、燃料の給排を制御するためのセンサに接続されるハーネス１０６が支持されている。
【００６６】
ここで、図６を用いて、フィードパイプ１１０と、燃料配管支持部材２００の関係を説明する。
【００６７】
燃料配管支持部材２００の先当て部２０４の側方に配置されたフィードパイプ１１０の第２管部材１１２および第３管部材１１３は、先当て部２０４が設けられた領域において、図６のＨに示すように、その上端が先当て部２０４の上端２０４ｂよりも下方に配置されている。
【００６８】
また、先当て部２０４が設けられた領域における、フィードパイプ１１０の第２管部材１１２および第３管部材１１３は、その下端位置が、先当て部２０４の下端２０４ｃよりも上方に位置するように配置されている。
【００６９】
燃料配管支持部材２００の先当て部２０４が設けられた領域において、フィードパイプ１１０の占有する上下方向の寸法ｄは、先当て部２０４の上下方向の寸法Ｄよりも大きく設定されている。
【００７０】
図６を用いて、本実施形態に係る車両の燃料配管保護構造による作用および効果を説明する。
【００７１】
乗員の上半身がシートベルトにより拘束された状態で衝突が発生した時、慣性力によって乗員が前方に押し出されることに伴い、乗員の下半身が前方に移動してシートクッションとシートベルトとの間からすり抜けるいわゆるサブマリン現象が生じることがある。サブマリン現象では、乗員の下半身が前方に移動することに伴い、ヒップポイントが通常状態に比べて前方かつ下方に変位している。
【００７２】
サブマリン現象が発生すると、ヒップポイントが前方かつ下方に変位することに伴って、後席Ｓのシートクッションからリアフロアパネル３に対して大きな荷重Ｆが入力される。そして、リアフロアパネル３が上記の荷重により押圧されて、仮想線で示すように、リアフロアパネル３は下方に変位する。
【００７３】
このとき、燃料配管支持部材２００の先当て部２０４の上端２０４ｂと下端２０４ｃとの間の上下方向の寸法Ｄに対して、先当て部２０４が配置されている領域におけるフィードパイプの１１０の上下方向の寸法ｄが、小さく設定されているので、リアフロアパネル３がフィードパイプ１１０に接触する前に、先当て部２０４の上端２０４ｂに当接する。
【００７４】
そして、リアフロアパネル３が、先当て部２０４の上端２０４ｂに当接することで、フィードパイプ１１０が燃料タンク９とリアフロアパネル３との間に挟まれることが抑制される。
【産業上の利用可能性】
【００７５】
以上のように、本発明によれば、車両の燃料配管保護構造では、車両の前面衝突時等に、後部座席下方のリアフロアパネルが下方に変形する場合においても、燃料タンクの必要容量を確保しつつ、燃料配管の周辺部品との干渉を抑制することができるので、車両の車体の製造産業分野において好適に利用される可能性がある。
【符号の説明】
【００７６】
３      リアフロアパネル（フロア部材）
９      燃料タンク
１１０  フィードパイプ（燃料配管）
１１１、１１２、１１３、１１４、１１５  管部材
２００  燃料配管支持部材
２０４  先当て部
２０１  ベース部（取付部）
Ｓ      後部座席
【図１】
2019188998.tif 000003
【図２】
2019188998.tif 000004
【図３】
2019188998.tif 000005
【図４】
2019188998.tif 000006
【図５】
2019188998.tif 000007
【図６】
2019188998.tif 000008